(57)【要約】【課題】ハードディスクドライブ装置等による信号の読出しが遅れた場合であっても、同期再生されるべき複数の映像信号の内、一部の映像信号が遅れて出力されることのない再生出力同期システムを提供する。【解決手段】本発明に係る再生出力同期システムは、２台のデジタルプレーヤ１、２を互いに接続することによって構成され、一方のプレーヤ１は、同期再生されるべき複数のＡＶ信号が格納されているハードディスクドライブ装置、所定の信号処理を実行する映像出力回路及びＣＰＵを具えている。他方のプレーヤ２は、所定の信号処理を実行する映像出力回路を具えている。一方のプレーヤ１のＣＰＵは、ハードディスクドライブ装置から複数のＡＶ信号を読み出し、読み出した複数のＡＶ信号の内、１つのＡＶ信号を映像出力回路に供給すると共に、一部の１或いは複数のＡＶ信号を他方のプレーヤ２の映像出力回路に供給する。【選択図】　　　図１
2004112321.tif 000002
【特許請求の範囲】
【請求項１】
少なくとも２台の信号再生出力装置が互いに接続され、これらの信号再生出力装置に映像信号を含むＡＶ信号の同期再生出力動作を実行させることが可能な再生出力同期システムにおいて、一方のメイン信号再生出力装置は、
同期再生されるべき複数のＡＶ信号が格納されている信号格納装置と、
信号格納装置から読み出された複数のＡＶ信号の内、１つのＡＶ信号に必要な信号処理を施してモニタ装置に供給すべき映像信号を作成し、該映像信号を出力する少なくとも１つの映像出力回路と、
前記複数のＡＶ信号の内、一部の１或いは複数のＡＶ信号を他方のサブ信号再生出力装置に供給するインターフェース回路と、
信号格納装置からのＡＶ信号の読出しを行なう制御回路と、
映像出力回路、インターフェース回路及び制御回路が接続されたバス
とを具え、他方のサブ信号再生出力装置は、
メイン信号再生出力装置のインターフェース回路と接続されたインターフェース回路と、
メイン信号再生出力装置から供給される１或いは複数のＡＶ信号の内、１つのＡＶ信号に必要な信号処理を施してモニタ装置に供給すべき映像信号を作成し、該映像信号を出力する少なくとも１つの映像出力回路と、
映像出力回路及びインターフェース回路が接続されたバス
とを具え、メイン信号再生出力装置の制御回路は、信号格納装置から読み出した複数のＡＶ信号をそれぞれ、メイン信号再生出力装置の映像出力回路及びサブ信号再生出力装置の映像出力回路の中から供給すべき１つの映像出力回路を指定してバスに出力することを特徴とする再生出力同期システム。
【請求項２】
サブ信号再生出力装置は、映像出力回路の増設が可能である請求項１に記載の再生出力同期システム。
【請求項３】
メイン信号再生出力装置の信号格納装置はディスク・アレイ構造を有している請求項１又は請求項２に記載の再生出力同期システム。
【請求項４】
少なくとも１つの映像出力回路を具えた信号再生出力装置を接続することが可能であって、該信号再生出力装置と同期をとって映像信号を含むＡＶ信号を再生して出力することが可能な信号再生出力装置において、
同期再生されるべき複数のＡＶ信号が格納されている信号格納装置と、
信号格納装置から読み出された複数のＡＶ信号の内、１つのＡＶ信号に必要な信号処理を施してモニタ装置に供給すべき映像信号を作成し、該映像信号を出力する少なくとも１つの映像出力回路と、
前記複数のＡＶ信号の内、一部の１或いは複数のＡＶ信号を接続された信号再生出力装置に供給するインターフェース回路と、
信号格納装置からのＡＶ信号の読出しを行なう制御回路と、
映像出力回路、インターフェース回路及び制御回路が接続されたバス
とを具え、前記制御回路は、信号格納装置から読み出した複数のＡＶ信号をそれぞれ、前記映像出力回路及び接続された信号再生出力装置の映像出力回路の中から供給すべき１つの映像出力回路を指定してバスに出力することを特徴とする信号再生出力装置。
【請求項５】
信号再生出力装置を接続することが可能であって、該信号再生出力装置と同期をとって映像信号を含むＡＶ信号を再生して出力することが可能な信号再生出力装置において、接続された信号再生出力装置から同期再生されるべき複数のＡＶ信号の内、一部の１或いは複数のＡＶ信号の供給を受けることが可能であり、
信号再生出力装置を接続するためのインターフェース回路と、
接続された信号再生出力装置から供給される１或いは複数のＡＶ信号の内、１つのＡＶ信号に必要な信号処理を施してモニタ装置に供給すべき映像信号を作成し、該映像信号を出力する少なくとも１つの映像出力回路と、
映像出力回路及びインターフェース回路が接続されたバス
とを具えていることを特徴とする信号再生出力装置。
【発明の詳細な説明】
【０００１】
【発明の属する技術分野】
本発明は、少なくとも２台の信号再生出力装置が互いに接続され、これらの信号再生出力装置に映像信号を含むＡＶ信号の同期再生出力動作を実行させることが可能な再生出力同期システムに関するものである。
【０００２】
【従来の技術】
近年、ハードディスク等の記録媒体に記録された動画データに応じた一連の動画をモニタに表示する装置として、図８に示す如きデジタルプレーヤが開発されている（例えば、特許文献１〜３参照）。
該デジタルプレーヤ（３）は、ＭＰＥＧ方式による圧縮処理の施されたハイビジョン動画データが記録されたハードディスクを駆動して該ハイビジョン動画データを再生するハードディスクドライブ装置（３１）を具えており、該ハードディスクドライブ装置（３１）には、ＯＳとして例えばＷｉｎｄｏｗｓ（Ｍｉｃｒｏｓｏｆｔ社の登録商標）が搭載されたＣＰＵ（３０）が接続されている。
【０００３】
ＣＰＵ（３０）には、ハードディスクを駆動して制御データを再生するハードディスクドライブ装置（３３）が接続されると共に、操作キー等を表示するためのＬＣＤ（液晶ディスプレイ）（３４）が接続されている。又、ＣＰＵ（３０）には、前記ハードディスクドライブ装置（３１）に供給するための動画データが記録されたリムーバブルディスクを駆動して該動画データを再生するリムーバブルディスクドライブ装置（３２）が接続されている。
【０００４】
更にＣＰＵ（３０）には、ＰＣＩ（Ｐｅｒｉｐｈｅｒａｌ　Ｃｏｍｐｏｎｅｎｔ　Ｉｎｔｅｒｃｏｎｎｅｃｔ）バス（３５）を介して、ＴＳ（Ｔｒａｎｓｐｏｒｔ　Ｓｔｒｅａｍ）インターフェース回路（３６）が接続され、ＴＳインターフェース回路（３６）にはデコードボード（３７）が接続されている。デコードボード（３７）には、同期ボード（３８）が接続されている。
【０００５】
ＣＰＵ（３０）は、制御用のハードディスクドライブ装置（３３）から読み出した制御データに応じて、動画データ用のハードディスクドライブ装置（３１）から動画データを読み出し、読み出した動画データをＴＳインターフェース回路（３６）に供給する。
ＴＳインターフェース回路（３６）に供給された動画データは、該回路（３６）にてタイミングがとられて一定の速度でデコードボード（３７）に供給され、ＭＰＥＧデコードされた後、音声信号と映像信号とが分離される。音声信号は、スピーカ（図示省略）へ出力される一方、映像信号は、同期ボード（３８）に供給されて同期がとられた後、ハイビジョンモニタ（図示省略）へ出力される。
この結果、モニタに動画が表示されると共に、スピーカから該動画に応じた音声が出力されることになる。
【０００６】
ところで、近年、複数台のデジタルプレーヤを互いに接続して、これらのプレーヤに同期再生出力動作を実行させる再生出力同期システムを構築することが行なわれている。例えば、２台のデジタルプレーヤを互いに接続し、両プレーヤによって再生された２つの映像を互いに重ねて１つのスクリーンに表示することにより立体映像を表示する３Ｄ立体映像表示システムや、３台のデジタルプレーヤを互いに接続し、これらのプレーヤによって再生された３つの映像を並べて１つのスクリーンに表示することにより大型映像を表示する３面ワイドスクリーンシステムが構築される。
【０００７】
３面ワイドスクリーンシステムは、図９に示す如く、３台のデジタルプレーヤ（３ａ）（３ｂ）（３ｂ）を夫々、ＬＡＮケーブル（４０）によりハブ（４）に接続すると共に、これら３台のデジタルプレーヤ（３ａ）（３ｂ）（３ｂ）に３台の表示制御装置（図示省略）を接続することによって構築される。３台の表示制御装置には、１つのスクリーン（図示省略）が接続される。
３台のデジタルプレーヤに内蔵されたハードディスクドライブ装置には、１つの番組を構成する３種類の動画データが記録されており、これら３台のデジタルプレーヤの内、１台のデジタルプレーヤ（３ａ）はマスタープレーヤ、２台のデジタルプレーヤ（３ｂ）（３ｂ）はスレーブプレーヤとして、後述の動作を実行する。
マスタープレーヤ（３ａ）及び各スレーブプレーヤ（３ｂ）は、再生出力開始信号の送受信を行なうことにより、互いにタイミングをとって再生出力動作を開始する。
マスタープレーヤ（３ａ）及びスレーブプレーヤ（３ｂ）（３ｂ）はそれぞれ、内蔵するハードディスクドライブ装置から動画データを読み出し、読み出した動画データに上述の信号処理を施して映像信号を作成し、該映像信号を表示制御装置に出力する。このとき、マスタープレーヤ（３ａ）から一方のスレーブプレーヤ（３ｂ）にクロック信号が供給され、該クロック信号が更に他方のスレーブプレーヤ（３ｂ）に供給される。又、マスタープレーヤ（３ａ）から一方のスレーブプレーヤ（３ａ）に同期信号が供給され、該同期信号が更に他方のスレーブプレーヤ（３ｂ）に供給される。
この様にして、１つの場面を表示するための３種類の映像信号が同じタイミングで３台の表示制御装置に供給されて、１つの場面を表わす大型映像がスクリーンに映し出されることになる。
【０００８】
【特許文献１】
特開２００１−１１１９６７号公報（
【００４３】〜
【００４５】、図１）
【特許文献２】
特願２００１−２１４７８２（
【００１５】〜
【００１７】、図１）
【特許文献３】
特願２００１−１２３３４８（
【００３１】〜
【００３４】、図１）
【０００９】
【発明が解決しようとする課題】
しかしながら、上記従来の３面ワイドスクリーンシステムにおいては、該システムを構成する３台のデジタルプレーヤがそれぞれハードディスクドライブ装置を具えており、３台のハードディスクドライブ装置からそれぞれ動画データが読み出されるため、これらのハードディスクドライブ装置の内、１或いは２台のハードディスクドライブ装置に何らかの異常が発生してデータの読出しが遅れた場合には、１つの場面を表示するための３種類の映像信号の内、１或いは２種類の映像信号が遅れて出力されることとなり、スクリーンには場面の異なる３つの映像が表示される問題があった。
又、３台のデジタルプレーヤはそれぞれ、ハードディスクドライブ装置及びＣＰＵを有しているため、各プレーヤに要するコストが高く、システムの構築に極めて高いコストがかかる問題があった。
本発明の目的は、ハードディスクドライブ装置等の信号格納装置による信号の読出しが遅れた場合であっても、同期再生されるべき複数の映像信号の内、一部の映像信号が遅れて出力されることはなく、然も、低価格化を図ることの出来る再生出力同期システムを提供することである。
【００１０】
【課題を解決する為の手段】
本発明に係る再生出力同期システムは、少なくとも２台の信号再生出力装置が互いに接続され、これらの信号再生出力装置に映像信号を含むＡＶ信号の同期再生出力動作を実行させることが可能であって、一方のメイン信号再生出力装置は、
同期再生されるべき複数のＡＶ信号が格納されている信号格納装置と、
信号格納装置から読み出された複数のＡＶ信号の内、１つのＡＶ信号に必要な信号処理を施してモニタ装置に供給すべき映像信号を作成し、該映像信号を出力する少なくとも１つの映像出力回路と、
前記複数のＡＶ信号の内、一部の１或いは複数のＡＶ信号を他方のサブ信号再生出力装置に供給するインターフェース回路と、
信号格納装置からのＡＶ信号の読出しを行なう制御回路と、
映像出力回路、インターフェース回路及び制御回路が接続されたバス
とを具えている。他方のサブ信号再生出力装置は、
メイン信号再生出力装置のインターフェース回路と接続されたインターフェース回路と、
メイン信号再生出力装置から供給される１或いは複数のＡＶ信号の内、１つのＡＶ信号に必要な信号処理を施してモニタ装置に供給すべき映像信号を作成し、該映像信号を出力する少なくとも１つの映像出力回路と、
映像出力回路及びインターフェース回路が接続されたバス
とを具えている。そして、メイン信号再生出力装置の制御回路は、信号格納装置から読み出した複数のＡＶ信号をそれぞれ、メイン信号再生出力装置の映像出力回路及びサブ信号再生出力装置の映像出力回路の中から供給すべき１つの映像出力回路を指定してバスに出力する。
【００１１】
本発明に係る再生出力同期システムを、例えば１つのモニタと複数台の表示制御装置からなるモニタ装置を用いた３面ワイドスクリーンシステムに実施した場合、メイン信号再生出力装置の映像出力回路の出力端及びサブ信号再生出力装置の映像出力回路の出力端にそれぞれ、表示制御装置が接続される。
メイン信号再生出力装置の信号格納装置には、例えば、１つの番組を構成する複数のＡＶ信号が格納されている。メイン信号再生出力装置の制御回路は、同期再生出力動作において、信号格納装置から前記複数のＡＶ信号を読み出し、これら複数のＡＶ信号をそれぞれ、メイン信号再生出力装置の映像出力回路及びサブ信号再生出力装置の映像出力回路の中から供給すべき１つの映像出力回路を指定してバスに出力する。
【００１２】
メイン信号再生出力装置の映像出力回路が指定された少なくとも１つのＡＶ信号は、指定された映像出力回路に入力されて必要な信号処理が施され、これによって得られる映像信号は表示制御装置に出力される。
これに対し、サブ信号再生出力装置の映像出力回路が指定された少なくとも１つのＡＶ信号は、メイン信号再生出力装置のインターフェース回路に入力され、該インターフェース回路からサブ信号再生出力装置のインターフェース回路に供給されてバスに出力される。バスに出力された少なくとも１つのＡＶ信号は、指定された映像出力回路に入力されて必要な信号処理が施され、これによって得られる映像信号は表示制御装置に出力される。
この様にして、メイン信号再生出力装置及びサブ信号再生出力装置から１つの場面を表示するための複数の映像信号が同じタイミングで複数台の表示制御装置に供給される。この結果、１つの場面を表わす大型映像がモニタに映し出されることになる。
【００１３】
本発明に係る再生出力同期システムにおいては、同期再生させるべき複数のＡＶ信号がメイン信号再生出力装置の１つの信号格納装置から読み出されるので、信号格納装置に何らかの異常が発生してＡＶ信号の読出しが遅れた場合であっても、複数の映像信号の全てが遅れて出力されるに過ぎず、一部の映像信号が遅れて出力されることはない。
又、複数のＡＶ信号はメイン信号再生出力装置の信号格納装置に格納されており、これら複数のＡＶ信号の読出し及び供給すべき映像出力回路の指定は、メイン信号再生出力装置の制御回路によって行なわれるので、サブ信号再生出力装置において信号格納装置及び制御回路は不要であり、サブ信号再生出力装置に要するコストは、従来のデジタルプレーヤに比べて低減する。
【００１４】
具体的には、サブ信号再生出力装置は、映像出力回路の増設が可能である。
【００１５】
上記具体的構成によれば、サブ信号再生出力装置に映像出力回路を増設することが出来るので、同期再生されるべきＡＶ信号の数が増大した場合であっても、メイン信号再生出力装置に新たなサブ信号再生出力装置を接続する面倒な作業は不要である。
【００１６】
又、具体的には、メイン信号再生出力装置の信号格納装置はディスク・アレイ構造を有している。
【００１７】
上記具体的構成においては、信号格納装置からの信号読出し速度が高速化されるので、信号格納装置に格納されている信号がハイビジョン動画データ等、データ量の多い信号であっても、メイン信号再生出力装置の映像出力回路及びサブ信号再生出力装置の映像出力回路に対して、信号再生に必要十分な速度で信号を供給することが出来る。
【００１８】
【発明の効果】
本発明に係る再生出力同期システムによれば、信号格納装置による信号の読出しが遅れた場合であっても、同期再生されるべき複数の映像信号の内、一部の映像信号が遅れて出力されることはなく、然も、低価格化を図ることが出来る。
【００１９】
【発明の実施の形態】
以下、本発明を３面ワイドスクリーンシステムに実施した形態につき、図面に沿って具体的に説明する。
本発明に係る３面ワイドスクリーンシステムにおいては、図１に示す如く、構成の異なる２台のデジタルプレーヤ（以下、一方のプレーヤをマスタープレーヤ、他方のプレーヤをスレーブプレーヤという）（１）（２）が互いに接続され、マスタープレーヤ（１）には１台の表示制御装置（図示省略）が接続される一方、スレーブプレーヤ（２）には２台の表示制御装置（図示省略）が接続されている。これら３台の表示制御装置には、１つのスクリーン（図示省略）が接続されている。
マスタープレーヤ（１）は、ディスク・アレイ構造を有するハードディスクドライブ装置（１１）を具えている。該ハードディスクドライブ装置（１１）に内蔵されている複数枚のハードディスクには、１つの番組を構成する３種類のハイビジョン動画データがそれぞれ、ＭＰＥＧ方式により圧縮されて異なるセクタ領域に記録されている。
【００２０】
マスタープレーヤ（１）及びスレーブプレーヤ（２）の再生出力動作の準備が完了すると、マスタープレーヤ（１）からスレーブプレーヤ（２）へ再生出力開始指令が発せられて、両プレーヤ（１）（２）が後述の再生出力動作を開始する。
マスタープレーヤ（１）は、ハードディスクドライブ装置（１１）から３種類の動画データを読み出し、読み出した３種類の動画データの内、１種類の動画データに後述の信号処理を施して映像信号を作成し、該映像信号を１台の表示制御装置に出力する。又、２種類の動画データをスレーブプレーヤ（２）に供給する。
スレーブプレーヤ（２）は、マスタープレーヤ（１）から供給された２種類の動画データにそれぞれ、後述の信号処理を施して２種類の映像信号を作成し、これらの映像信号を２台の表示制御装置に出力する。このとき、マスタープレーヤ（１）からスレーブプレーヤ（２）に同期信号が供給され、スレーブプレーヤ（２）は、該同期信号に基づきマスタープレーヤ（１）と同期をとって表示制御装置への映像信号の出力動作を実行する。
この様にして、１つの場面を表示するための３種類の映像信号が同じタイミングで３台の表示制御装置に供給されて、１つの場面を表わす大型映像がスクリーンに映し出されることになる。
【００２１】
図２は、上記マスタープレーヤ（１）の構成を表わしている。
マスタープレーヤ（１）は、上述の如く３種類のハイビジョン動画データを再生するハードディスクドライブ装置（１１）を具えており、ハードディスクドライブ装置（１１）には、ＯＳとして例えばＷｉｎｄｏｗｓ　ＮＴ（Ｍｉｃｒｏｓｏｆｔ社の登録商標）が搭載されたＣＰＵ（１０）が接続されている。
ＣＰＵ（１０）には、ハードディスクを駆動して制御データを再生するハードディスクドライブ装置（１３）が接続されると共に、操作キー等を表示するためのＬＣＤ（１４）が接続されている。又、ＣＰＵ（１０）には、前記ハードディスクドライブ装置（１１）に供給するためのハイビジョン動画データが記録されたリムーバブルディスクを駆動して該ハイビジョン動画データを再生するリムーバブルディスクドライブ装置（１２）が接続されている。
【００２２】
更にＣＰＵ（１０）には、ＰＣＩバス（１５）を介して、ＴＳインターフェース回路（１６）が接続され、ＴＳインターフェース回路（１６）にはデコードボード（１７）が接続されている。デコードボード（１７）には、同期ボード（１８）が接続されている。
又、ＰＣＩバス（１５）には、ＰＣＩ拡張インターフェース回路（１９）が接続されている。
【００２３】
図３は、上記スレーブプレーヤ（２）の構成を表わしている。
スレーブプレーヤ（２）は、２つのＴＳインターフェース回路（２１）（２１）を具え、これらのＴＳインターフェース回路（２１）（２１）にはそれぞれ、デコードボード（２２）（２２）が接続されている。これらのデコードボード（２２）（２２）にはそれぞれ、同期ボード（２３）（２３）が接続されている。
又、前記２つのＴＳインターフェース回路（２１）（２１）には、ＰＣＩバス（２４）を介して、ＰＣＩ拡張インターフェース回路（２５）が接続されている。
【００２４】
上記３面ワイドスクリーンシステムにおいては、図２に示すマスタープレーヤ（１）のＰＣＩ拡張インターフェース回路（１９）と図３に示すスレーブプレーヤ（２）のＰＣＩ拡張インターフェース回路（２５）とが互いに接続されている。
マスタープレーヤ（１）のＣＰＵ（１０）は、制御用のハードディスクドライブ装置（１３）から読み出した制御データに応じて、動画データ用のハードディスクドライブ装置（１１）から１つの番組を構成する３種類の動画データを読み出し、読み出した３種類の動画データをそれぞれ、マスタープレーヤ（１）のＴＳインターフェース回路（１６）及びスレーブプレーヤ（２）の２つのＴＳインターフェース回路（２１）（２１）の内、供給すべき１つのＴＳインターフェース回路を指定してＰＣＩバス（１５）に出力する。
【００２５】
マスタープレーヤ（１）のＴＳインターフェース回路（１６）が指定された動画データは、該ＴＳインターフェース回路（１６）に入力され、タイミングがとられて一定の速度でデコードボード（１７）に供給され、ＭＰＥＧデコードされた後、音声信号と映像信号とが分離される。音声信号は、スピーカ（図示省略）へ出力される一方、映像信号は、同期ボード（１８）に供給されて同期がとられた後、表示制御装置（図示省略）へ出力される。又、同期ボード（１８）からスレーブプレーヤ（２）へ同期信号が出力される。
【００２６】
スレーブプレーヤ（２）のＴＳインターフェース回路（２１）（２１）が指定された２種類の動画データは、マスタープレーヤ（１）のＰＣＩ拡張インターフェース回路（１９）に入力され、該回路（１９）からスレーブプレーヤ（２）のＰＣＩ拡張インターフェース回路（２５）に入力されてＰＣＩバス（２４）に出力され、指定されたＴＳインターフェース回路（２１）（２１）に入力される。
【００２７】
各ＴＳインターフェース回路（２１）に入力された１種類の動画データは、該回路（２１）にてタイミングがとられて一定の速度でデコードボード（２２）に供給され、ＭＰＥＧデコードされた後、音声信号と映像信号とが分離される。音声信号は、スピーカ（図示省略）へ出力される一方、映像信号は、同期ボード（２３）に供給され、マスタープレーヤ（１）からの同期信号に基づいて同期がとられた後、表示制御装置（図示省略）へ出力される。
この様にして、マスタープレーヤ（１）のデコードボード（１８）とスレーブプレーヤ（２）の２つのデコードボード（２３）（２３）との間で同期がとられて、１種類の映像信号がマスタープレーヤ（１）から１台の表示制御装置に供給されると共に２種類の映像信号がスレーブプレーヤ（２）から２台の表示制御装置に供給されることになる。この結果、１つの場面を表わす大型映像が順次、スクリーンに映し出されることになる。
【００２８】
図４及び図５は、マスタープレーヤ（１）のＣＰＵ（１０）による再生出力動作開始手続きを表わしている。尚、マスタープレーヤ（１）のＴＳインターフェース回路（１６）及びスレーブプレーヤ（２）の２つのＴＳインターフェース回路（２１）（２１）はそれぞれ、２つのバッファを具えている。
プレーヤに電源が投入されると、先ずステップＳ１にて、ユーザにより１つの番組が選択されたか否かを判断し、ノーと判断された場合はステップＳ１にて同じ判断を繰り返す。
ユーザにより１つの番組が選択されると、ステップＳ１にてイエスと判断されてステップＳ２に移行し、ハードディスクドライブ装置（１１）からマスタープレーヤ（１）のＴＳインターフェース回路（１６）に供給すべき動画データを１ブロック分だけ読み出した後、ステップＳ３にて、読み出した１ブロック分の動画データを該ＴＳインターフェース回路（１６）へ供給する。ステップＳ４では、該ＴＳインターフェース回路（１６）の一方のバッファが満杯になったか否かを判断し、ノーと判断された場合は、ステップＳ２に戻って同様の手続きを繰り返す。
【００２９】
上記ＴＳインターフェース回路（１６）の一方のバッファが満杯になると、ステップＳ５に移行して、ハードディスクドライブ装置（１１）からスレーブプレーヤ（２）の２つのＴＳインターフェース回路（２１）（２１）の内、一方の第１ＴＳインターフェース回路に供給すべき動画データを１ブロック分だけ読み出した後、ステップＳ６にて、読み出した１ブロック分の動画データを該ＴＳインターフェース回路（２１）へ転送する。ステップＳ７では、該ＴＳインターフェース回路（２１）の一方のバッファが満杯になったか否かを判断し、ノーと判断された場合は、ステップＳ５に戻って同様の手続きを繰り返す。
【００３０】
上記第１ＴＳインターフェース回路（２１）の一方のバッファが満杯になると、図５のステップＳ８に移行して、ハードディスクドライブ装置（１１）からスレーブプレーヤ（２）の他方の第２ＴＳインターフェース回路（２１）に供給すべき動画データを１ブロック分だけ読み出した後、ステップＳ９にて、読み出した１ブロック分の動画データを該ＴＳインターフェース回路（２１）へ転送する。ステップＳ１０では、該ＴＳインターフェース回路（２１）の一方のバッファが満杯になったか否かを判断し、ノーと判断された場合は、ステップＳ８に戻って同様の手続きを繰り返す。
【００３１】
上記第２ＴＳインターフェース回路（２１）の一方のバッファが満杯になると、ステップＳ１１に移行して、マスタープレーヤ（１）及びスレーブプレーヤ（２）の再生出力動作の準備が完了したか否かを判断し、ノーと判断された場合はステップＳ１１にて同じ判断を繰り返す一方、イエスと判断された場合は、ステップＳ１２に移行して、マスタープレーヤ（１）のＴＳインターフェース回路（１６）にデコードボード（１７）へのデータ供給動作を開始させる。このとき、該ＴＳインターフェース回路（１６）からスレーブプレーヤ（２）の２つのＴＳインターフェース回路（２１）（２１）に再生出力開始指令が発せられて、これらのＴＳインターフェース回路（２１）（２１）は、デコードボード（２２）（２２）へのデータ供給動作を開始する。
この様にして、マスタープレーヤ（１）及びスレーブプレーヤ（２）の再生出力動作が同じタイミングで開始されることになる。
【００３２】
図６は、再生出力動作開始後にマスタープレーヤ（１）のＣＰＵ（１０）によって実行されるデータ読出し手続きを表わしている。
上述の如く再生出力動作が開始されると、先ずステップＳ２１にて、ハードディスクドライブ装置（１１）から１ブロック分の動画データを読み出し、ステップＳ２２では、読み出した１ブロック分の動画データがマスタープレーヤ（１）のＴＳインターフェース回路（１６）へ供給すべきものであるか否かを判断する。
【００３３】
ステップＳ２２にてイエスと判断された場合は、ステップＳ２３にて、前記読み出した１ブロック分の動画データをＴＳインターフェース回路（１６）へ供給する。
これに対し、ステップＳ２２にてノーと判断された場合は、ステップＳ２４にて、前記読み出した１ブロック分の動画データがスレーブプレーヤ（２）の２つのＴＳインターフェイス回路（２１）（２１）の内、一方の第１ＴＳインターフェース回路に供給すべきものであるか否かを判断する。ここで、イエスと判断された場合は、ステップＳ２５にて、前記読み出した１ブロック分の動画データを第１ＴＳインターフェース回路（２１）に転送する一方、ノーと判断された場合は、ステップＳ２６にて、前記読み出した１ブロック分の動画データを他方の第２ＴＳインターフェース回路（２１）に転送する。
尚、これらのＴＳインターフェース回路（１６）（２１）（２１）においては、供給された動画データを一方のバッファに書き込む動作と他方のバッファから動画データを読み出してデコードボードに供給する動作とが並行して行なわれるのであるが、一方のバッファに対する動画データの書込みと他方のバッファからの動画データの読出しは、バッファを交互に切り換えながら繰り返される。
【００３４】
ステップＳ２７では、ハードディスクドライブ装置（１１）から前記選択された番組の動画データの最後のブロックを読み出したか否かを判断し、ノーと判断された場合は、ステップＳ２１に戻って同様の手続きを繰り返す一方、イエスと判断された場合は手続きを終了する。
その後、マスタープレーヤ（１）のＴＳインターフェース回路（１６）のバッファが空になった時点で該プレーヤ（１）の再生出力動作が終了すると共に、スレーブプレーヤ（２）の２つのＴＳインターフェース回路（２１）（２１）のバッファが空になった時点で該プレーヤ（２）の再生出力動作が終了する。
【００３５】
本発明に係る３面ワイドスクリーンシステムにおいては、同期再生させるべき３種類の動画データがマスタープレーヤ（１）の１つのハードディスクドライブ装置（１１）から読み出されるので、ハードディスクドライブ装置に何らかの異常が発生して動画データの読出しが遅れた場合であっても、３種類の全ての映像信号が遅れて出力されるに過ぎず、一部の１或いは２種類の映像信号が遅れて出力されることはない。従って、場面の異なる３つの映像がスクリーンに表示されることはない。
【００３６】
又、３種類の動画データはマスタープレーヤ（１）のハードディスクドライブ装置（１１）に格納されており、これら３種類の動画データの読出し及び供給すべきＴＳインターフェース回路の指定は、マスタープレーヤ（１）のＣＰＵ（１０）によって行なわれるので、スレーブプレーヤ（２）においてハードディスクドライブ装置及びＣＰＵは不要であり、スレーブプレーヤ（２）に要するコストは、従来のデジタルプレーヤ（３）に比べて大幅に低減する。一方、マスタープレーヤ（１）に要するコストは、従来のデジタルプレーヤ（３）と同程度である。従って、かかるマスタープレーヤ（１）とスレーブプレーヤ（２）の２台のプレーヤから構成される本発明に係る３面ワイドスクリーンシステムに要するコストは、図９に示す如く３台のデジタルプレーヤ（３）から構成される従来のシステムに比べて大幅に低減することになる。
又、本発明に係る３面ワイドスクリーンシステムは、図１に示す如く、マスタープレーヤ（１）とスレーブプレーヤ（２）の２台のデジタルプレーヤから構成されているので、図９に示す如く３台のデジタルプレーヤ（３）（３）（３）から構成されている従来のシステムに比べて小型化される。
【００３７】
更に、マスタープレーヤ（１）のハードディスクドライブ装置（１１）は、ディスク・アレイ構造を有しているため、ハードディスクドライブ装置（１１）からの動画データの読出し速度が高速化される。従って、マスタープレーヤ（１）のＴＳインターフェース回路（１６）及びスレーブプレーヤ（２）のＴＳインターフェース回路（２１）（２１）に対して、データの再生に必要十分な速度で動画データを供給することが出来る。
【００３８】
尚、上記実施の形態においては、３種類の動画データの記録方法として、３種類の動画データをそれぞれ異なるセクタ領域に記録する方法を採用しているが、３種類の動画データをＧＯＰ（Ｇｒｏｕｐ　Ｏｆ　Ｐｉｃｔｕｒｅ）単位で多重化して記録する方法等、その他の方法を採用することも可能である。
【００３９】
３種類の動画データがＧＯＰ単位で多重化されて記録されている場合には、図７に示す再生出力動作開始手続きが実行される。
プレーヤに電源が投入されると、先ずステップＳ３１にて、ユーザにより１つの番組が選択されたか否かを判断し、ノーと判断された場合はステップＳ３１にて同じ判断を繰り返す。
ユーザにより１つの番組が選択されると、ステップＳ３１にてイエスと判断されてステップＳ３２に移行し、ハードディスクドライブ装置（１１）から１ＧＯＰの動画データを読み出した後、読み出した１ＧＯＰの動画データがマスタープレーヤ（１）のＴＳインターフェース回路（１６）へ供給すべきものであるか否かを判断し、イエスと判断された場合は、前記読み出した１ＧＯＰの動画データを前記ＴＳインターフェース回路（１６）に供給する。
【００４０】
これに対し、ステップＳ３３にてノーと判断された場合は、ステップＳ３５にて、前記読み出した１ＧＯＰの動画データがスレーブプレーヤ（２）の２つのＴＳインターフェース回路（２１）（２１）の内、一方の第１ＴＳインターフェース回路に供給すべきものであるか否かを判断する。ここで、イエスと判断された場合は、ステップＳ３６にて、前記読み出した１ＧＯＰの動画データを第１ＴＳインターフェース回路（２１）に転送する一方、ノーと判断された場合は、ステップＳ３７にて、前記読み出した１ＧＯＰの動画データを他方の第２ＴＳインターフェース回路（２１）に転送する。
【００４１】
ステップＳ３８では、マスタープレーヤ（１）のＴＳインターフェース回路（１６）の一方のバッファ及びスレーブプレーヤ（２）の各ＴＳインターフェース回路（２１）の一方のバッファが満杯になったか否かを判断し、ノーと判断された場合はステップＳ３２に戻って同様の手続きを繰り返す。
その後、ステップＳ３８にてイエスと判断されると、ステップＳ３９に移行して、マスタープレーヤ（１）及びスレーブプレーヤ（２）の再生出力動作の準備が完了したか否かを判断し、ノーと判断された場合はステップＳ３９にて同じ判断を繰り返す一方、イエスと判断された場合は、ステップＳ４０に移行して、マスタープレーヤ（１）のＴＳインターフェース回路（１６）にデコードボード（１７）へのデータ供給動作を開始させる。このとき、該ＴＳインターフェース回路（１６）からスレーブプレーヤ（２）の２つのＴＳインターフェース回路（２１）（２１）に再生出力開始指令が発せられて、これらのＴＳインターフェース回路（２１）（２１）は、デコードボード（２２）（２２）へのデータ供給動作を開始する。
この様にして、マスタープレーヤ（１）及びスレーブプレーヤ（２）の再生出力動作が同じタイミングで開始され、その後、図６と同様のデータ読出し手続きが実行される。但し、ハードディスクドライブ装置（１１）からは、１回のアクセスで１ＧＯＰの動画データが読み出される。
【００４２】
又、上記実施の形態では、本発明を３面ワイドスクリーンシステムに実施しているが、これに限らず、３Ｄ立体映像表示システムや、複数台のモニタ装置に同一の番組映像を同時に表示するシステムに実施することも可能である。
更に、スレーブプレーヤ（２）をデコードボード及び同期ボードの増設が可能な構成とすることも可能である。
【図面の簡単な説明】
【図１】本発明を実施した３面ワイドスクリーンシステムの全体構成を表わす斜視図である。
【図２】上記システムを構成するマスタープレーヤの構成を表わすブロック図である。
【図３】上記システムを構成するスレーブプレーヤの構成を表わすブロック図である。
【図４】マスタープレーヤのＣＰＵによって実行される再生出力動作開始手続きの前半を表わすフローチャートである。
【図５】上記手続きの後半を表わすフローチャートである。
【図６】再生出力動作開始後に上記ＣＰＵによって実行されるデータ読出し手続きを表わすフローチャートである。
【図７】他の実施例において実行される再生出力動作開始手続きを表わすフローチャートである。
【図８】従来のデジタルプレーヤの構成を表わすブロック図である。
【図９】従来の３面ワイドスクリーンシステムの全体構成を表わすブロック図である。
【符号の説明】
（１）　マスタープレーヤ
（１０）　ＣＰＵ
（１１）　ハードディスクドライブ装置
（１５）　ＰＣＩバス
（１６）　ＴＳインターフェース回路
（１７）　デコードボード
（１８）　同期ボード
（１９）　ＰＣＩ拡張インターフェース回路
（２）　スレーブプレーヤ
（２１）　ＴＳインターフェース回路
（２２）　デコードボード
（２３）　同期ボード
（２４）　ＰＣＩバス
（２５）　ＰＣＩ拡張インターフェース回路
【図１】
2004112321.tif 000003
【図２】
2004112321.tif 000004
【図３】
2004112321.tif 000005
【図４】
2004112321.tif 000006
【図５】
2004112321.tif 000007
【図６】
2004112321.tif 000008
【図７】
2004112321.tif 000009
【図８】
2004112321.tif 000010
【図９】
2004112321.tif 000011